(57)【要約】【課題】  浴室に設けた設備部内の空所を有効利用して浴室内で使用する液体を入れるためのポンプ付き容器の大部分を収納できて、ポン付き容器が浴室内に露出せずに浴室内をすっきりとすると共に衛生的となる。浴室内における液体の使用に当たって支障なく使うことができ、液体の補充を簡単にできる。【解決手段】  浴室１内に設けた設備部２内の空所３に、浴室１内で使用する液体を入れるための容器本体４を配置すると共に、該容器本体４の上部に設けた口部５を設備部２の表面部に設けた孔部６に取付けて設備部２の表面側に開口させる。容器本体４の口部５にポンプ付きの吐出口部材７を着脱自在に取付けて吐出口部材７に設けた液体の吐出口８を設備部２の表面側に位置させた。【選択図】図１
2008079734.tif 000002
【特許請求の範囲】
【請求項１】
浴室内に設けた設備部内の空所に、浴室内で使用する液体を入れるための容器本体を配置すると共に、該容器本体の上部に設けた口部を設備部の表面部に設けた孔部に取付けて設備部の表面側に開口させ、該容器本体の口部にポンプ付きの吐出口部材を着脱自在に取付けて吐出口部材に設けた液体の吐出口を設備部の表面側に位置させて成ることを特徴とする浴室内で使用する液体を入れるためのポンプ付き容器を備えた浴室の構造。
【請求項２】
浴室内に設けた設備部が浴槽設備により構成され、浴槽設備における浴槽本体とエプロンとの間の空所に、浴室内で使用する液体を入れるための容器本体を配置すると共に、該容器本体の上部に設けた口部をエプロン又は浴槽本体のフランジ部に設けた孔部に取付けてエプロン又はフランジ部の表面側に開口させ、該容器本体の口部にポンプ付きの吐出口部材を着脱自在に取付けて吐出口部材に設けた液体の吐出口をエプロン又はフランジ部の表面側に位置させて成ることを特徴とする請求項１記載の浴室内で使用する液体を入れるためのポンプ付き容器を備えた浴室の構造。
【請求項３】
浴室内に設けた設備部がカウンター設備により構成され、カウンター設備の天板と前カバーとに囲まれた空所に、浴室内で使用する液体を入れるための容器本体を配置すると共に、該容器本体の上部に設けた口部を天板又は前カバーに設けた孔部に取付けて天板又は前カバーの表面側に開口させ、該容器本体の口部にポンプ付きの吐出口部材を着脱自在に取付けて吐出口部材に設けた液体の吐出口を天板又は前カバーの表面側に位置させて成ることを特徴とする請求項１記載の浴室内で使用する液体を入れるためのポンプ付き容器を備えた浴室の構造。
【請求項４】
容器本体の上部に設けた口部を設備部の表面部に設けた孔部に取付けた状態で、容器本体の口部が上方又は斜め前上方を向いて開口していることを特徴とする請求項１乃至請求項３のいずれか一項に記載の浴室内で使用する液体を入れるためのポンプ付き容器を備えた浴室の構造。
【発明の詳細な説明】
【技術分野】
【０００１】
本発明は、液状の石鹸、シャンプー、リンス、入浴剤、洗剤等の浴室内で使用する液体を入れるためのポンプ付き容器を備えた浴室の構造に関するものである。
【背景技術】
【０００２】
従来から、液状の石鹸、シャンプー、リンス、入浴剤、洗剤等の浴室内で使用する液体はポンプ付き容器に入れられ、該ポンプ付き容器を浴室に設けたカウンターの上などに直接載置していた。（例えば、特許文献１参照）
ところが、上記のようにカウンター設備の天板の上に浴室内で使用する液体を入れたポンプ付き容器を直接載置する従来例にあっては、浴室内がすっきりとせず見苦しくなるという問題があり、しかも、カウンター設備の天板のポンプ付き容器の底部を載置している部分に容器の外面を伝った液体が付着して汚れ、ぬめりが発生したり、カビが発生したりして衛生的でないという問題がある。
【特許文献１】実開平７−１７１９２号公報
【発明の開示】
【発明が解決しようとする課題】
【０００３】
本発明は上記の従来の問題点に鑑みて発明したものであって、浴室に設けた設備部内の空所を有効利用して浴室内で使用する液体を入れるためのポンプ付き容器の大部分を収納できて、ポン付き容器が浴室内に露出せずに浴室内をすっきりとすると共に衛生的で、しかも、浴室内における液体の使用に当たって支障なく使うことができ、液体の補充を簡単にできる浴室内で使用する液体を入れるためのポンプ付き容器を備えた浴室の構造を提供することを課題とするものである。
【課題を解決するための手段】
【０００４】
上記課題を解決するために本発明に係る浴室内で使用する液体を入れるためのポンプ付き容器を備えた浴室の構造は、浴室１内に設けた設備部２内の空所３に、浴室１内で使用する液体を入れるための容器本体４を配置すると共に、該容器本体４の上部に設けた口部５を設備部２の表面部に設けた孔部６に取付けて設備部２の表面側に開口させ、該容器本体４の口部５にポンプ付きの吐出口部材７を着脱自在に取付けて吐出口部材７に設けた液体の吐出口８を設備部２の表面側に位置させて成ることを特徴とするものである。
【０００５】
このような構成とすることで、浴室１内に設けた設備部２内の空所３を有効利用して浴室１内で使用する液体を入れるための容器本体４を収納できて容器本体４が浴室１内に露出しないようにでき、液体の使用に当たっては、設備部２の表面側に位置しているポンプ付きの吐出口部材７の吐出口８から液体を出して使用することができる。また、液体の補充に当っては、設備部２の表面部の孔部６に取付けた容器本体４の口部５からポンプ付きの吐出口部材７を取り外すことで、口部５から容器本体４内に液体を補充することができる。
【０００６】
また、浴室１内に設けた設備部２が浴槽設備９により構成され、浴槽設備９における浴槽本体１０とエプロン１２との間の空所３に、浴室１内で使用する液体を入れるための容器本体４を配置すると共に、該容器本体４の上部に設けた口部５をエプロン１２又は浴槽本体１０のフランジ部１１に設けた孔部６に取付けてエプロン１２又はフランジ部１１の表面側に開口させ、該容器本体４の口部５にポンプ付きの吐出口部材７を着脱自在に取付けて吐出口部材７に設けた液体の吐出口８をエプロン１２又はフランジ部１１の表面側に位置させることが好ましい。
【０００７】
このような構成とすることで、浴室１内に設置される設備部２である浴槽設備９における浴槽本体１０とエプロン１２との間のデッドスペースである空所３を有効利用して容器本体４を収納できる。また、吐出口部材７をエプロン１２に取付けることで、洗い場で身体を洗う入浴者にとって、洗い場側における液状石鹸、シャンプー、リンス等の液体の使用が便利となる。また、吐出口部材７をフランジ部１１に取付けることで、洗い場に吐出口部材７が突出せず、洗い場で身体を洗う入浴者の邪魔にならないようにできる。
【０００８】
また、浴室１内に設けた設備部２がカウンター設備１３により構成され、カウンター設備１３の天板１４と前カバー１５とに囲まれた空所３に、浴室１内で使用する液体を入れるための容器本体４を配置すると共に、該容器本体４の上部に設けた口部５を天板１４又は前カバー１５に設けた孔部６に取付けて天板１４又は前カバー１５の表面側に開口させ、該容器本体４の口部５にポンプ付きの吐出口部材７を着脱自在に取付けてポンプ付きの吐出口部材７に設けた液体の吐出口８を天板１４又は前カバー１５の表面側に位置させることが好ましい。
【０００９】
このような構成とすることで、浴室１内に設置される設備部２であるカウンター設備１３の天板１４の下方のデッドスペースである空所３を有効利用して容器本体４を収納できる。また、ポンプ付きの吐出口部材７をカウンター設備１３の天板１４又は前カバー１５に取付けることで、洗い場で身体を洗う入浴者にとって、洗い場側における液状石鹸、シャンプー、リンス等の液体の使用が便利となる。
【００１０】
また、容器本体４の上部に設けた口部５を設備部２の表面部に設けた孔部６に取付けた状態で、容器本体４の口部５が上方又は斜め前上方を向いて開口していることが好ましい。
【００１１】
このような構成とすることで、容器本体４内に液を補充する際に、口部５からの液の供給が容易にできる。特に、口部５を浴槽設備９のエプロン１２や、カウンター設備１３の前カバー１５のような縦向きの部材に取付けた場合、斜め前上方を向いて開口していることで、斜め前上方を向いて開口している口部５から容易に液体の補充ができる。
【発明の効果】
【００１２】
本発明は、浴室内に設けた設備部内の空所に、浴室内で使用する液体を入れるための容器本体を配置するので、設備部内の空所を有効利用して容器本体を収納できると共に浴室内に露出しないようにできて、浴室内がすっきりとすると共に、衛生的であり、しかも、容器本体の上部に設けた口部を設備部の表面部に設けた孔部に取付けて設備部の表面側に開口させ、該容器本体の口部にポンプ付きの吐出口部材を着脱自在に取付けて吐出口部材に設けた液体の吐出口を設備部の表面側に位置させるので、浴室内における液体の使用に当たって支障なく使うことができ、液体の補充を簡単にできる。
【発明を実施するための最良の形態】
【００１３】
以下、本発明を添付図面に示す実施形態に基いて説明する。
【００１４】
ユニットバスルームあるいはシステムバスルームと称される浴室１には設備部２が設置されるが、本発明においては、液状の石鹸、シャンプー、リンス、入浴剤、洗剤等の浴室内で使用する液体を入れるためのポンプ付き容器Ａの大部分を、上記浴室１内に設けた設備部２内の空所３に収納して浴室１内に露出しないようにしている。
【００１５】
ポンプ付き容器Ａは樹脂成形品、袋状シートなどよりなる容器本体４と、容器本体４の上部の口部５に螺合などの着脱取付け手段により着脱自在に取付けるポンプ付きの吐出口部材７とで構成してある。
【００１６】
そして、設備部２の空所３内に容器本体４を配置すると共に、該容器本体４の上部に設けた口部５を設備部２の表面部に設けた孔部６に取付けて設備部２の表面側に開口させる。このようにして容器本体４を設備部２の空所３内に配置すると共に口部５が表面側に開口するように取付けた状態で、該容器本体４の口部５にポンプ付きの吐出口部材７を着脱自在に取付けて吐出口部材７に設けた液体の吐出口８を設備部２の表面側に位置させる。ポンプ付きの吐出口部材７は、吐出口８、ポンプ及び揚水チューブ、ポンプ操作部１６を備えたもので、ポンプ操作部１６を指で押し操作することで、ポンプを作動させて容器本体４内の液体を揚水チューブを介して吐出口８から吐出させるようになっている。
【００１７】
浴室１内に設置する設備部２としては、浴槽設備９やカウンター設備１３がある。
【００１８】
図１、図２、図５にはそれぞれ浴槽設備９にポンプ付き容器Ａを取付けた例が示してある。
【００１９】
浴槽設備９は、上端外周にフランジ部１１を有する浴槽本体１０と、浴槽本体１０の洗い場側のフランジ部１１の下方に取付けられて浴槽本体１０の洗い場側の側面を隠すためのエプロン１２とで構成してある。エプロン１２は、エプロン１２の裏面側の上端部に設けた上取付け具１８をフランジ部１１の下面に設けた上受け具１９に着脱自在に取付けると共に、裏面側の下端部に設けた下取付け具２０を浴室用の床パン２１の洗い場と浴槽設置部との間の堤部２２に設けた下受け具２８に着脱自在に取付けてある。
【００２０】
そして、上記浴槽設備９における浴槽本体１０とエプロン１２との間のデッドスペースである空所３に、浴室１内で使用する液体を入れるための容器本体４を配置するようにしている。
【００２１】
図１、図５に示す実施形態では、浴槽設備９の表面の一部を構成するエプロン１２の上部に孔部６を形成し、この孔部６に容器本体４の上部の口部５を嵌め込んで任意の取付け手段により着脱自在に口部５をエプロン１２に取付けて該口部５をエプロン１２の表面側（前面側）に開口させてある。このようにしてエプロン１２に取付けられた容器本体４の口部５にはエプロン１２の表面側からポンプ付きの吐出口部材７を着脱自在に取付けてある。
【００２２】
また、図２に示す実施形態では、浴槽設備９の表面の一部を構成するフランジ部１１に孔部６を形成し、この孔部６に容器本体４の上部の口部５を嵌め込んで任意の取付け手段により着脱自在に口部５をフランジ部１１に取付けて該口部５をフランジ部１１の表面側（上面側）に開口させてある。このようにしてフランジ部１１に取付けられた容器本体４の口部５にはフランジ部１１の上方からポンプ付きの吐出口部材７を着脱自在に取付けてある。
【００２３】
図３、図４、図６にはそれぞれカウンター設備１３にポンプ付き容器Ａを取付けた例が示してある。
【００２４】
カウンター設備１３は、天板１４と、前カバー１５と、カウンター取付け金具２３とで主体が構成してあり、浴室１の洗い場に面した壁パネル２４にカウンター取付け金具２３を取付け、このカウンター取付け金具２３上に天板１４を載設して着脱自在に取付けると共にカウンター取付け金具２３の前部に前カバー１５を着脱自在に取付けてある。上記の構成のカウンター設備１３内には天板１４と前カバー１５とに囲まれた部分の空所３内の一部には給湯管、給水管（図示を省略している）が配置してあり、天板１４の上面や前カバー１５の前面に設けた給水（給湯）用の蛇口装置（図示を省略している）に接続してある。上記天板１４と前カバー１５とに囲まれた部分の空所３の一部には上記のように給湯管、給水管が配置してあるが、他の部分はデッドスペースとなっている。本実施形態においては、上記浴槽設備９における天板１４と前カバー１５とに囲まれた部分の空所３のデッドスペースとなった部分に、浴室１内で使用する液体を入れるための容器本体４を配置するようにしている。
【００２５】
図３に示す実施形態では、カウンター設備１３の表面の一部を構成する天板１４に孔部６を形成し、この孔部６に容器本体４の上部の口部５を嵌め込んで任意の取付け手段により着脱自在に口部５を天板１４に取付けて該口部５を天板１４の表面側（上面側）に開口させてある。このようにしてカウンター設備１３の天板１３に取付けられた容器本体４の口部５には天板１３の上方からポンプ付きの吐出口部材７を着脱自在に取付けてある。
【００２６】
また、図４、図６に示す実施形態では、カウンター設備１３の表面の一部を構成する前カバー１５に孔部６を形成し、この孔部６に容器本体４の上部の口部５を嵌め込んで任意の取付け手段により着脱自在に口部５を前カバー１５に取付けて該口部５を前カバー１５の表面側（前面側）に開口させてある。このようにしてカウンター設備１３の前カバー１５に取付けられた容器本体４の口部５には前カバー１５の前方からポンプ付きの吐出口部材７を着脱自在に取付けてある。
【００２７】
上記いずれの実施形態においても、ポンプ付き容器Ａの大部分（つまり容器本体４）が浴槽設備９内に存在するデッドスペースである空所３内に収納されて浴室１内に露出しないようになっているので、浴室１内がすっきりとし、また、従来のようにポンプ付き容器Ａをカウンター設備１３の天板１４上に直接載置する場合のように、天板１４を汚損したりせず、衛生的となる。
【００２８】
また、上記いずれの実施形態においても使用に当たっては、洗い場に居る入浴者が、浴槽設備９のエプロン１２又はフランジ部１１、あるいは、カウンター設備１３の天板１４又は前カバー１５の表面側に露出するポンプ付きの吐出口部材７のポンプ操作部１６を指で操作することで、容器本体４内の液状の石鹸、シャンプー、リンス、入浴剤、洗剤等の浴室内で使用する液体を吐出口部材７の吐出口８から吐出させて使用するものである。
【００２９】
容器本体４内の液体を補充するには、設備部２の表面部の孔部６に取付けた容器本体４の口部５からポンプ付きの吐出口部材７を取り外すことで、口部５から容器本体４内に液体を補充することができる。
【００３０】
ここで、浴槽設備９のフランジ部１１あるいはカウンター設備１３の天板１４に口部５が取付けられる場合は、口部５が上方に開口するため、上方から口部５に液体を注ぎ込むことができて、容器本体４内に容易に液体を補充することができる。
【００３１】
一方、浴槽設備９のエプロン１２あるいはカウンター設備１３の前カバー１５に口部５が取付けられる場合、側方から口部５に液体を注ぎ込む作業となるため、上記のように上方から口部５に液体を注ぎ込む場合に比べて注ぎ込み作業がし難くなる。
【００３２】
そこで、図５、図６に示すように、浴槽設備９のエプロン１２あるいはカウンター設備１３の前カバー１５に容器本体４の口部５を取付けるに当って、エプロン１２あるいは前カバー１５のような縦向きの部材の一部を凹ませて凹部２６を形成し、この凹部２６内の下面部を前方程下となるような下り傾斜した口部取付け部２７とし、この前方程下となるように下り傾斜した口部取付け部２７に設けた孔部６に容器本体４の上部の口部５を嵌め込んで取付け手段により取付けることで、口部５を図５（ｂ）、図６（ｂ）の矢印イのように、斜め前上方を向くように開口させることができ、容器本体４内への液体の補充作業が、口部５に対して液体を斜め前上方から注ぎ込む作業となって、容器本体４内に容易に液体を補充することができる。また、この実施形態では凹部２６内に図５（ａ）、図６（ａ）に示すように吐出口部材７の吐出口８を除く部分の大部分を収納でき、吐出口部材７の全体が設備部２の表面から突出する場合に比べ吐出口部材７が入浴者の邪魔にならない。
【００３３】
また、容器本体４の交換等の場合は、エプロン１２を取り外したり、天板１４又は前カバー１５を取り外し、エプロン１２や天板１４や前カバー１５の孔部６から古い容器本体４を取り外し、代わって、新たな容器本体４の口部５をエプロン１２や天板１４や前カバー１５の孔部６に取付け、その後、エプロン１２や天板１４や前カバー１５を元のように取付ける。
【図面の簡単な説明】
【００３４】
【図１】本発明の一実施形態の断面図である。
【図２】同上の他の実施形態の断面図である。
【図３】同上の更に他の実施形態の断面図である。
【図４】同上の更に他の実施形態の断面図である。
【図５】同上の更に他の実施形態を示し、（ａ）は吐出口部材を取付けた状態の断面図であり、（ｂ）は液体の補充のために吐出口部材を取り外した状態の断面図である。
【図６】同上の更に他の実施形態を示し、（ａ）は吐出口部材を取付けた状態の断面図であり、（ｂ）は液体の補充のために吐出口部材を取り外した状態の断面図である。
【符号の説明】
【００３５】
１  浴室
２  設備部
３  空所
４  容器本体
５  口部
６  孔部
７  吐出口部材
８  吐出口
９  浴槽設備
１０  浴槽本体
１１  フランジ部
１２  エプロン
１３  カウンター設備
１４  天板
１５  前カバー
【図１】
2008079734.tif 000003
【図２】
2008079734.tif 000004
【図３】
2008079734.tif 000005
【図４】
2008079734.tif 000006
【図５】
2008079734.tif 000007
【図６】
2008079734.tif 000008